(57)【要約】【課題】保管、運搬若しくは輸送又は廃棄をする際のスペース効率を高くすることができ、使用開始後に保管又は運搬する際のスペース効率が悪くなることがなく、液体の注出作業を容易に行うことができる液体用減容容器を提供する。【解決手段】液体用減容容器１を、液体を充填又は注出するための開口部２Ａが上面に形成された軟質の袋体２、袋体２の開口部２Ａの周囲に密着される密着部Ａを有するとともに開口部２Ａから上側へ突出し、内側に通孔が形成された口部３、及び、口部３に装着される蓋４により構成した。【選択図】図１
0003157863.tif 000002
【実用新案登録請求の範囲】
【請求項１】
液体を充填又は注出するための開口部が上面に形成された軟質の袋体と、
該袋体の前記開口部の周囲に密着される密着部を有するとともに前記開口部から上側へ突出し、内側に通孔が形成された口部と、
該口部に装着される蓋と、
からなることを特徴とする液体用減容容器。
【請求項２】
前記口部は、その周囲から外側へ突出し、前記密着部よりも上側に位置する鍔部が形成されたものであり、該鍔部の下面を受ける受部が形成されるとともに、その基端部が壁面に固定される壁取付具と、前記口部に装着されるディスペンサーとを備えてなる請求項１記載の液体用減容容器。
【請求項３】
前記壁取付具の前記受部が、前記口部が着脱できるように形成されてなる請求項２記載の液体用減容容器。
【請求項４】
前記壁取付具が、その基端部に繋がって前記壁面から離れる方向へ略水平に延びる固定板と、該固定板の先端部により垂直軸まわりに揺動可能に支持され、前記固定板よりも前記壁面から離れた位置で開閉する揺動板と、該揺動板を閉じた状態で前記固定板に対して前記揺動板を掛止する掛止手段とにより構成され、前記揺動板を閉じた状態で前記固定板と前記揺動板との間に、前記鍔部の外径よりも小さく前記鍔部の直ぐ下側の前記口部の外径よりも大きい丸孔が形成される請求項２記載の液体用減容容器。
【請求項５】
前記口部は、その周囲から外側へ突出し、前記密着部よりも上側に位置する鍔部が形成されたものであり、前記袋体を被う、折り畳み可能な外箱を備えるとともに、該外箱の上面の上側に前記鍔部を位置させた状態を保持する抜止め手段を備えてなる請求項１記載の液体用減容容器。
【請求項６】
前記袋体の上面左右２箇所の少なくともどちらかに前記口部を取り付け、該口部に対応する前記外箱上面の左右の少なくともどちらかを、左右方向の外側へ行くにしたがって下側へ傾斜する傾斜面とし、該傾斜面から突出する前記口部の上端に前記蓋を装着した状態で、該蓋が前記傾斜面の周囲の前記外箱の壁面を延長した範囲の内側に位置する請求項５記載の液体用減容容器。
【考案の詳細な説明】
【技術分野】
【０００１】
本考案は、液体を収容することができ、空容器を減容化することができる液体用減容容器に関するものである。
【背景技術】
【０００２】
液体を収容することができ、液体を収容する前の空容器若しくは液体を使用した後の空容器を減容化して、保管、運搬若しくは輸送又は廃棄をする際のスペース効率を高くすることができる液体用減容容器として、液体を充填した例えば軟質プラスチックフィルム製の袋体を、この袋体を保護するために、段ボール製の外箱内に収容して構成される液体用減容容器がある。
このような液体用減容容器として、袋体をその底部に剛性の底シートを有する角底袋として外箱の内形状に沿わせて袋体の安定性を高めたもの（特許文献１参照。）、外箱の蓋面及び一側面にまたがるように連続する切込み線によって形成される取出し部を設け、その取出し部を切り開くことで開口した切出し孔から袋体の注出口を引き出し、かつ側面側の取出し部に注出口を突出させた際にその首部を固定するようにして液体の注出を容易にするもの（特許文献２参照。）等がある。
【先行技術文献】
【特許文献】
【０００３】
【特許文献１】実公昭６２−１７４１６号公報
【特許文献２】登録実用新案第３１１５１７９号公報
【考案の概要】
【考案が解決しようとする課題】
【０００４】
特許文献１のような液体用減容容器では、特に液体の量が減少するにしたがって袋体が萎んだ際に、袋体の天面に取り付けた注出口が外箱に対して沈むとともに不安定となることから、注出口が引き出しにくくなるため液体の注出作業が困難になる。
また、特許文献２のような液体用減容容器では、使用開始時に取出し部を切り開いて開口した切出し孔から袋体の注出口を引き出す作業及び側面側の取出し部に注出口を突出させてその首部を固定する作業等が面倒である。
その上、使用開始後に内容品である液体を保管又は運搬する際には、キャップを閉めて注出口を側面から突出させた状態としておく必要があることから、上下方向にしか積み重ねることができないため、使用開始後に保管又は運搬する際のスペース効率が悪くなる。
【０００５】
そこで本考案が前述の状況に鑑み、解決しようとするところは、保管、運搬若しくは輸送又は廃棄をする際のスペース効率を高くすることができ、使用開始後に保管又は運搬する際のスペース効率が悪くなることがなく、液体の注出作業を容易に行うことができる液体用減容容器を提供する点にある。
【課題を解決するための手段】
【０００６】
本考案に係る液体用減容容器は、前記課題解決のために、液体を充填又は注出するための開口部が上面に形成された軟質の袋体と、該袋体の前記開口部の周囲に密着される密着部を有するとともに前記開口部から上側へ突出し、内側に通孔が形成された口部と、該口部に装着される蓋とからなることを特徴とする。
このような構成によれば、袋体は軟質であることから液体を充填していない状態では折り畳むことができるため省スペース化を図ることができ、したがって空容器を保管、運搬又は輸送する際におけるスペース効率が高くなること及び軽量であることから、空容器の保管、運搬及び輸送コストを低減することができる。
その上、液体を使用した後に廃棄する際にも減容化を図ることができること及び軽量であること並びに分別が容易であることから、廃棄コストを低減することができる。
【０００７】
その上さらに、使用する際には、蓋を外すことにより口部から内容物である液体を容易に注出することができる。
その上、使用開始後に保管又は運搬する際には口部に蓋を装着すればよく、使用前の形態から突出する部分がないため、使用開始後に保管又は運搬する際にスペース効率が悪くなることがない。
その上さらに、液体を充填した状態で保管、運搬又は輸送する際には、多くの液体用減容容器を重ねてタンボール箱等の収容体に収容した状態で不安定にならないようにして、この収容体の単位で前記保管等をすることができる。
【０００８】
ここで、前記口部は、その周囲から外側へ突出し、前記密着部よりも上側に位置する鍔部が形成されたものであり、該鍔部の下面を受ける受部が形成されるとともに、その基端部が壁面に固定される壁取付具と、前記口部に装着されるディスペンサーとを備えてなると好ましい。
このような構成によれば、ディスペンサーの被操作部を押し下げる操作力は、口部の鍔部から壁取付具に伝わり壁で受けとめられるため、液体を収容する袋体が軟質であるにも拘わらず、ディスペンサーを用いることができる。
その上、外箱がないため、クリーンルーム内でも使用することができる。
その上さらに、壁取付具により壁に取り付けられた状態で使用されることから、床上にテーブル等を置いてその上に液体用減容容器を載置する必要がなく、床スペースが狭くならないため、床スペースを有効利用することができる。
その上、壁取付具により口部及び袋体等を保持した状態で施錠をして壁取付具から口部を取り外せないようにすることにより、盗難を防止することができる。
【０００９】
また、前記壁取付具の前記受部が、前記口部が着脱できるように形成されてなると好ましい。
このような構成によれば、袋体、口部及びディスペンサーを壁取付具から取り外し、使用済みの袋体及び口部を廃棄し、壁取付具及びディスペンサーを再利用しながら新しい袋体及び口部を取り付けて使用することができるとともに、このような交換作業を容易に行うことができる。
【００１０】
さらに、前記壁取付具が、その基端部に繋がって前記壁面から離れる方向へ略水平に延びる固定板と、該固定板の先端部により垂直軸まわりに揺動可能に支持され、前記固定板よりも前記壁面から離れた位置で開閉する揺動板と、該揺動板を閉じた状態で前記固定板に対して前記揺動板を掛止する掛止手段とにより構成され、前記揺動板を閉じた状態で前記固定板と前記揺動板との間に、前記鍔部の外径よりも小さく前記鍔部の直ぐ下側の前記口部の外径よりも大きい丸孔が形成されると好ましい。
このような構成によれば、揺動板を閉じた状態で掛止手段により揺動板を固定板に掛止することにより、鍔部の下面を固定板及び揺動板で受けた状態で、壁取付具により口部が安定した状態で保持されて抜け止めされるため、口部及び袋体等の落下が防止される。
その上、掛止手段を外して揺動板を開いた状態とすることにより、袋体、口部及びディスペンサーを容易に取り外すことができる。
よって、使用状態では掛止手段により口部及び袋体等の落下が防止され、口部等を壁取付具から取り外す際には、掛止手段を外すことにより取外しを容易に行って使用済みの袋体及び口部を廃棄することができ、壁取付具及びディスペンサーを再利用しながら新しい袋体及び口部を取り付けて使用することができるとともに、このような交換作業を容易に行うことができる。
【００１１】
さらにまた、前記口部は、その周囲から外側へ突出し、前記密着部よりも上側に位置する鍔部が形成されたものであり、前記袋体を被う、折り畳み可能な外箱を備えるとともに、該外箱の上面の上側に前記鍔部を位置させた状態を保持する抜止め手段を備えてなると好ましい。
このような構成によれば、抜止め手段により鍔部が外箱内に入ることがなく、よって口部が外箱の外側に位置した状態が安定保持されるため、液体を充填した状態で運搬又は輸送する際に袋体が安定するとともに、使用する際に液体を注出する作業を容易かつ確実に行うことができる。
その上、外箱により前記袋体を保護した状態で使用することができるとともに、液体を使用して行くにしたがって皺が寄って萎む袋体を視認されないようにすることができる。
【００１２】
また、前記袋体の上面左右２箇所の少なくともどちらかに前記口部を取り付け、該口部に対応する前記外箱上面の左右の少なくともどちらかを、左右方向の外側へ行くにしたがって下側へ傾斜する傾斜面とし、該傾斜面から突出する前記口部の上端に前記蓋を装着した状態で、該蓋が前記傾斜面の周囲の前記外箱の壁面を延長した範囲の内側に位置すると好ましい。
このような構成によれば、外箱の傾斜面の上側に位置する口部の上端に蓋を装着した状態で、液体用減量容器を上下左右に積み重ねても、蓋部が他の液体用減量容器に接触することがないため、口部及び蓋部が破損することがない。
よって、使用する際に液体を注出する作業を容易かつ確実に行うことができるように口部を安定保持しながら、液体を充填した状態で保管、運搬又は輸送する際のスペース効率を高めることができる。
【考案の効果】
【００１３】
以上のように、本考案に係る液体用減容容器によれば、空容器（袋体又は袋体及び外箱）を折り畳むことができること等から保管、運搬若しくは輸送又は廃棄をする際のスペース効率を高くすることができ、使用開始後に保管又は運搬する際のスペース効率が悪くなることがなく、蓋を外して口部から液体を注出する作業を容易かつ確実に行うことができるという顕著な効果を奏する。
【図面の簡単な説明】
【００１４】
【図１】本考案の実施の形態１に係る液体用減容容器の構成を示す斜視図である。
【図２】本考案の実施の形態２に係る液体用減容容器の使用状態を示す斜視図である。
【図３】同じく縦断側面図である。
【図４】同じく分解斜視図である。
【図５】口部と袋体との密着部の構成例を示す参考図であり、（ａ）は口部の筒部の下側に一体成形された肩部に袋体を密着する例を、（ｂ）は口部の筒部の下側に一体成形された鍔部の下側に袋体を密着する例を、（ｃ）は口部の筒部自体に、その外周面に袋体を密着する例を示している。
【図６】本考案の実施の形態３に係る液体用減容容器の構成を示す斜視図である。
【図７】同じく、（ａ）は縦断正面図、（ｂ）は（ａ）の矢視Ｂ−Ｂ縦断図である。
【図８】抜止め手段の例を示す拡大斜視図である。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
以下において、図２〜図４（実施の形態２）の液体用減量容器においては、壁面から離れる方向を前方、その反対側、すなわち壁面に近づく方向を後方とし、左方及び右方は前方に向かっていうものとし、前方から見た図を正面図とする。
また、図６〜図８（実施の形態３）の液体用減量容器においては、図７（ａ）を正面図（縦断正面図）とし、この図を基準として上下左右をいうものとする。
【００１６】
実施の形態１．
図１に示すように、本考案の実施の形態１に係る液体用減容容器１は、液体を充填又は注出するための開口部２Ａが上面に形成された軟質の袋体２、袋体２の開口部２Ａの周囲に密着される密着部Ａを有するとともに開口部２Ａから上側へ突出し、内側に通孔が形成された口部３、及び、口部３の上端に螺着される蓋４からなる。
口部３の肩部３Ｂの下部（下面又は側面）に袋体２の開口部２Ａの周囲に密着される密着部Ａが形成され、この密着は、例えば熱融着又は接着剤により行われる。
ここで、袋体２は、厚さが０．０３ｍｍ〜０．５ｍｍ程度のプラスチックフィルムであるため可撓性があり、ポリエチレン若しくはポリプロピレン等のオレフィン系プラスチック、ポリアミド又はポリエチレンテレフタレート等からなるプラスチックフィルムやそれらのラミネート品、さらにはアルミニウム等の金属蒸着フィルムが用いられる。
また、口部３は、筒部３Ａ及び筒部３Ａの下側に一体成形された肩部３Ｂからなり、ポリプロピレン、ポリアセタール、ポリアミド又はＡＢＳ等のプラスチックで製作され、蓋４も口部３と同様のプラスチックにより製作される。
【００１７】
このような液体用減容容器１の構成によれば、袋体２は軟質であることから液体を充填していない状態では折り畳むことができるため省スペース化を図ることができ、したがって空容器を保管、運搬又は輸送する際におけるスペース効率が高くなること及び軽量であることから、空容器の保管、運搬及び輸送コストを低減することができる。
また、液体を使用した後に廃棄する際にも減容化を図ることができること及び軽量であること並びに分別が容易であることから、廃棄コストを低減することができる。
さらに、使用する際には、蓋４を外すことにより口部３から内容物である液体を容易に注出することができる。
さらにまた、使用開始後に保管又は運搬する際には口部３に蓋４を装着すればよく、使用前の形態から突出する部分がないため、使用開始後に保管又は運搬する際にスペース効率が悪くなることがない。
また、液体を充填した状態で保管、運搬又は輸送する際には、多くの液体用減容容器１，１，…を重ねてタンボール箱等の収容体に収容した状態で不安定にならないようにして、この収容体の単位で保管、運搬又は輸送をすることができる。
【００１８】
実施の形態２．
図２〜図４に示すように、本考案の実施の形態２に係る液体用減量容器１は、液体を充填又は注出するための開口部２Ａが上面に形成された軟質の袋体２、袋体２の開口部２Ａの周囲に密着される密着部Ａを有するとともに開口部２Ａから上側に突出し、内側に通孔が形成された口部３、口部３（筒部３Ａ）の周囲から外側へ突出する、密着部Ａよりも上側に位置する鍔部５、鍔部５の下面５Ａを受ける受部Ｒを備えるとともに、その基端部が壁面Ｗに固定される壁取付具６、及び、口部３に装着される、ポンプ式ノズル又はスプレー式ノズル等であるディスペンサー７からなり、実施の形態１の図１と同一符号は同一又は相当部分を示している。
ディスペンサー７は、口部３（筒部３Ａ）の液体注出口である上端部に螺着された蓋部７Ａ、蓋部７Ａの上側に位置する被操作部である押下げ部７Ｂ、袋体２内へその開口部２Ａから挿入された吸上管であるチューブ７Ｃ及び押下げ部７Ｂに横設されたノズルからなり、押下げ部７Ｂを押し下げると、内蔵されたポンプ機構により袋体２内に充填された液体の一定量が吸い上げられ、吸い上げられた液体が前記ノズルの吐出口７Ｄから吐出する。
なお、輸送若しくは運搬の際又は交換用として保管をする際等には、ディスペンサー７の代わりに図４に示す蓋（キャップ）を取り付ける。
【００１９】
ここで、図２〜図４及び図５（ａ）に示すように、実施の形態１と同様に、口部３の肩部３Ｂの下部（下面又は側面）に袋体２の開口部２Ａの周囲に密着される密着部Ａが形成され、この密着は、例えば熱融着又は接着剤により行われる。
なお、図５（ｂ）に示すように、口部３の筒部３Ａの下側に一体成形された鍔部３Ｃの下側に袋体２を熱融着等により密着してもよく、図５（ｃ）に示すように、口部３の筒部３Ａ自体に、その外周面に袋体２を熱融着等により密着するようにしてもよく、あるいは、肩部３Ｂの外周に形成した周溝に袋体２の開口部２Ａの周囲を介在させた状態でＯリングを装着するようにしてもよい。
また、図５（ｂ）に示すような口部３の鍔部３Ｃの下側に袋体２開口部２Ａの周囲を密着させる構成、又は、図５（ｃ）に示すような口部３の筒部３Ａ自体に袋体２の開口部２Ａの周囲を密着させる構成において、袋体２を扁平なものにすることにより、空容器（袋体２及び口部３）がより扁平になるため、空容器を保管、運搬又は輸送する際におけるスペース効率をより高くすることができる。
【００２０】
壁取付具６は、その基端部に繋がって前方へ略水平に延びる固定板８、固定板８の先端部の左側部分により垂直軸１０まわりに揺動可能に支持され、固定板８よりも前側で開閉する揺動板９、及び、揺動板９を閉じた状態（図２参照。）で固定板８に対して揺動板９を掛止する掛止手段である掛止板１１により構成され、その基端部（固定板８の基端部）を折り曲げて形成された取付片１２，１２の通孔を利用して取付ねじ１４，１４により壁面Ｗに固定される。
また、図３に示すように、補強部材１３が取付ねじ１５，１６により固定板８の下面と壁面Ｗとの間に取り付けられるため、固定板８の下方への変形が抑制される。
ここで、壁取付具６は、ステンレス鋼若しくはアルミニウム合金等の金属又はポリプロピレン、ポリアセタール、ポリアミド若しくはＡＢＳ等のプラスチックで製作される。
【００２１】
図４に示すように、固定板８の前端縁には、鍔部５の外径Ｄ（図３参照。）よりも小さく鍔部５の直ぐ下側の口部３（筒部３Ａ）の外径ｄ（図３参照。）よりも大きい半円状の切欠８Ａが、揺動板９を閉じた状態においてその後端縁には、固定板８の切欠８Ａに対向する、鍔部５の外径Ｄよりも小さく鍔部５の直ぐ下側の口部３の外径ｄよりも大きい半円状の切欠９Ａが形成されているため、揺動板９を閉じた状態では、固定板８と揺動板９との間に、鍔部５の外径Ｄよりも小さく鍔部５の直ぐ下側の口部３の外径ｄよりも大きい丸孔が形成されており、この丸孔の周囲が鍔部５の下面５Ａを受ける受部Ｒとなる。
【００２２】
図４のように揺動板９が開いた状態で、蓋４を外してディスペンサー７を装着した袋体２及び口部３を、その鍔部５を固定板８の上側に位置させ、鍔部５の直ぐ下側の口部３を固定板８の切欠８Ａ内に入れて揺動板９を閉じることにより、揺動板９の切欠９Ａ内にも鍔部５の直ぐ下側の口部３が入った状態となり、この状態では、固定板８の前部右上面に形成された凹部８Ｂ内へ、揺動板９に固定された掛止板１１の下面から突出する凸部１１Ａが入るため、固定板８に揺動板９が掛止され、鍔部５の下面５Ａを固定板８及び揺動板９の受部Ｒ（図３参照。）で受けた状態で、壁取付具６により口部３が安定した状態で保持されて抜け止めされるため、口部３及び袋体２等の落下が防止される。
また、掛止板１１を外して揺動板９を開いた状態とすることにより、袋体２、口部３及びディスペンサー７並びに外箱６を容易に取り外すことができる。
このように、壁取付具６の受部Ｒは、口部３が着脱できるように形成されているため、袋体２、口部３及びディスペンサー７並びに外箱６を壁取付具６から取り外し、使用済みの袋体２及び口部３並びに外箱６を廃棄し、壁取付具６及びディスペンサー７を再利用しながら新しい袋体２及び口部３並びに外箱６を取り付けて使用することができるとともに、このような交換作業を容易に行うことができる。
【００２３】
このような液体用減容容器１の構成によれば、図３に示す使用状態では、鍔部５の直ぐ下側に鍔部５の下面５Ａを受部Ｒで受ける壁取付具６が位置しており、ディスペンサー７の押下げ部７Ｂを押し下げる操作力は、鍔部５から壁取付具６に伝わり壁Ｗで受けとめられるため、液体を収容する袋体２が軟質であるにも拘わらず、ディスペンサー７を用いることができる。
また、外箱がないため、クリーンルーム内でも使用することができる。
さらに、壁取付具６により壁面Ｗに取り付けられた状態で使用されることから、床上にテーブル等を置いてその上に液体用減容容器を載置する必要がなく、床スペースが狭くならないため、床スペースを有効利用することができる。
さらにまた、掛止板１１（掛止手段）により固定板８に対して揺動板９を掛止して口部３及び袋体２等を保持した状態で、掛止板１１を外すことができないように施錠することにより、盗難を防止することができる。
このような実施の形態１及び２の液体用減容容器１は、例えば３００ミリリットルから１リットル程度の容量の消毒液又は洗剤等の容器の代替に好適である。
【００２４】
実施の形態３．
図６及び図７に示すように、本考案の実施の形態３係る液体用減量容器１は、液体を充填若しくは注出するための又は空気入れ用の開口部２Ａ，２Ａが上面の左右に形成された軟質の袋体２、袋体２の左右の開口部２Ａ，２Ａの周囲に密着される左右の密着部Ａ，Ａを有するとともに開口部２Ａ，２Ａから上側へ突出し、内側に通孔が形成された左右の口部３，３、口部３，３の上端に螺着される蓋４，４、袋体２を被う、折り畳み可能な外箱１７、及び、外箱１７の上面の上側に鍔部５，５を位置させた状態を保持する抜止め手段２０，２０からなり、実施の形態２の図２〜図５と同一符号は同一又は相当部分を示している。
【００２５】
また、外箱１７は、その上面の左右が、左右方向の外側へ行くにしたがって下側へ傾斜する傾斜面Ｓ，Ｓとなっており、傾斜面Ｓ，Ｓを形成する傾斜板１８，１９から口部３，３が突出し、口部３，３の筒部３Ａ，３Ａの周囲から外側へ突出する鍔部５，５が傾斜板１８，１９の上側に位置し、傾斜面Ｓ，Ｓから突出する口部３，３の上端に蓋４，４を装着した状態で、蓋４，４が傾斜面Ｓ，Ｓの周囲の外箱１７の壁面（上壁並びに前後及び左右の側壁）を延長した範囲の内側に位置している。
ここで、外箱１７は、板紙、クラフト紙、合成紙若しくは段ボールシート若しくはこれらを主体として樹脂フィルム等を組み合わせた複合シート、ポリプロピレン等のプラスチックシート、木製シート又は金属シート等で製作され、折り畳み可能なものである。
図６及び図７の構成例においては、左右の口部３，３の中で、径が大きい方を注出用として、径が小さい方を空気入れ用（減圧防止用）としており、使用時には、注出用の口部３の蓋４を外して、この口部３に例えば注出ノズルを装着して使用する。
なお、外箱１７の形状を、その上面の左右の両方を傾斜面Ｓ，Ｓとせずに、一方のみを傾斜面Ｓとして、その上側に注出用の口部３の先端部を位置させてもよい。
【００２６】
図７に示すように、傾斜面３，３（傾斜板１８，１９）の略中央には、口部３の鍔部５の外径Ｄ（図３参照。）よりも径が大きい丸孔１８Ａ，１９Ａが形成されているため、図７及び図８に示すように、外箱１７内から丸孔１８Ａ，１９Ａを通して鍔部５，５を傾斜板１８，１９の上側に位置させた状態とすることができる。
この状態で、図８に示すように、抜止め手段２０の例である、鍔部４の直ぐ下側の口部３の外径ｄ（図３参照。）よりも大きい半円状の切欠２１Ａ，２２Ａが形成された受板２１，２２を、これらの切欠２１Ａ，２２Ａが対向するように鍔部５の下側へ挿入して傾斜板１８，１９の上面に貼着することにより、傾斜板１８，１９により口部３，３が支持された状態となる（図７（ａ）参照。）。
【００２７】
また、外箱１７の前後面には、その中央に開口２３，２３が形成されているため、液体用減量容器１（外箱１７並びに袋体２、口部３，３及び蓋４，４）の持ち運び作業を、開口２３，２３に指を掛けて容易に行うことができる。
さらに、外箱１７の前後の側板の内側には保護フィルム２４，２４が貼付されているため、前記持ち運び作業の際に開口２３，２３から外箱１７内に指が入っても、袋体２が破損することがない。
【００２８】
このような液体用減容容器１の構成によれば、抜止め手段２０，２０により鍔部５，５が外箱１７内に入ることがなく、よって口部３，３が外箱１７の外側に位置した状態が安定保持されるため、液体を充填した状態で運搬又は輸送する際に袋体２が安定するとともに、使用する際に液体を注出する作業を容易かつ確実に行うことができる。
【００２９】
また、外箱１７により袋体２を保護した状態で使用することができるとともに、液体を使用して行くにしたがって皺が寄って萎む袋体２を視認されないようにすることができる。
さらに、外箱１７の傾斜面Ｓ，Ｓの上側に位置する口部３，３の上端に蓋４，４を装着した状態で、液体用減量容器１，１，…を上下左右に積み重ねても、蓋部４，４が他の液体用減量容器１，１，…に接触することがないため、口部３，３及び蓋部４，４が破損することがないため、使用する際に液体を注出する作業を容易かつ確実に行うことができるように口部３，３を安定保持しながら、液体を充填した状態で保管、運搬又は輸送する際のスペース効率を高めることができる。
このような実施の形態３の液体用減容容器１は、例えば５リットルから２０リットル程度の石油缶等の代替に好適である。
【符号の説明】
【００３０】
Ａ  密着部
Ｄ  鍔部の外径
ｄ  鍔部の直ぐ下側の口部の外径
Ｒ  受部
Ｓ  傾斜面
Ｗ  壁面
１  液体用減容容器
２  袋体
２Ａ  開口部
３  口部
３Ａ  筒部
３Ｂ  肩部
３Ｃ  鍔部
４  蓋
５  鍔部
５Ａ  下面
６  壁取付具
７  ディスペンサー
７Ａ  蓋部
７Ｂ  押下げ部（被操作部）
７Ｃ  チューブ
７Ｄ  吐出口
８  固定板
８Ａ  切欠
８Ｂ  凹部
９  揺動板
９Ａ  切欠
１０  垂直軸
１１  掛止板（掛止手段）
１１Ａ  凸部
１２  取付片
１３  補強部材
１４，１５，１６  取付ねじ
１７  外箱
１８，１９  傾斜板
１８Ａ，１９Ａ  丸孔
２０  抜止め手段
２１，２２  受板
２１Ａ，２２Ａ  切欠
２３  開口
２４  保護フィルム
【図１】
0003157863.tif 000003
【図２】
0003157863.tif 000004
【図３】
0003157863.tif 000005
【図４】
0003157863.tif 000006
【図５】
0003157863.tif 000007
【図６】
0003157863.tif 000008
【図７】
0003157863.tif 000009
【図８】
0003157863.tif 000010